(57)【要約】【課題】動画、静止画及び音声の再生時に顧客への訴求力を持つに十分な精細さを有し、しかもデータの圧縮率を可及的に向上する。【解決手段】データ再生システム１は、動画等の複数種類のデータを結合した結合データを圧縮して圧縮結合データを生成する圧縮手段６と、圧縮結合データを保存して移動せしめる携帯型データ保存手段８と、携帯型データ保存手段８に保存された圧縮結合データを読出して伸長処理し、前記結合データを復元する伸長手段と、伸長手段で復元された結合データに基づいて、前記動画、静止画、音声等を復元して、動画表示、音声出力等の再生動作を行う再生手段２とを備える。【選択図】      図１
2004297220.tif 000002
【特許請求の範囲】
【請求項１】
動画、静止画、音声の複数種類のデータを結合した結合データを圧縮して圧縮結合データを生成する圧縮手段と、
圧縮結合データを保存して移動せしめる携帯型データ保存手段と、
携帯型データ保存手段に保存された圧縮結合データを読出して伸長処理し、前記結合データを復元する伸長手段と、
伸長手段で復元された結合データに基づいて、前記動画、静止画、音声を復元して、動画表示、音声出力の再生動作を行う再生手段と、
を備える
ことを特徴とするマルチデータ再生システム。
【請求項２】
動画、静止画、音声の複数種類のデータのファイルに対して、前記圧縮手段において、静止画データファイルに対しては画像サイズ、動画データファイルに対しては、画像サイズ、圧縮コーディック、フレーム率、音声サンプリングレート、音声量子化ビットの圧縮データ条件が調整可能に設けられている
ことを特徴とする請求項１記載のマルチデータ再生システム。
【請求項３】
動画、静止画、音声の複数種類のデータのファイルに対して、前記圧縮手段には、前記再生手段における最適再生動作に対応した前記圧縮データ条件が予め定められている
ことを特徴とする請求項１記載のマルチデータ再生システム。
【発明の詳細な説明】
【０００１】
【発明の属する技術分野】
本発明は、店頭等に設置されて、動画や静止画等を表示し、或いは音声を再生して、商品広告を行う等の再生動作に使用されるマルチデータ再生システムに関するものである。
【０００２】
【従来の技術】
従来から、各種店舗の店頭において、販売される商品を販売員を配置することなく広告する手段として、動画、静止画或いは音声を再生して顧客に商品を広告する小型の表示・音声再生装置が用いられている。このような表示・再生装置の表示部には省スペース、省電力の点で液晶表示装置が多く用いられている。また、このような表示・音声再生装置で再生される動画、静止画、音声のデータ（以下、マルチデータと総称する）は、メモリカード等の携帯型メモリに保存されて表示・音声再生装置に読み取らせて再生させることが多い。
【０００３】
このような従来技術として、下記特許文献１に記載の「広告提供装置及び広告提供装置用の記憶媒体、展示具、表示パネル、表示ケース」がある。
【０００４】
このような従来技術では、メモリカードを用いて再生すべきマルチデータを移動し、表示・音声再生装置でメモリカードに記憶されたマルチデータを読み取って再生するようにしている。
【０００５】
【特許文献１】
特開２００１−１３４２２５（００８１段落〜００９２段落、図１）
【０００６】
【発明が解決しようとする課題】
しかしながら、一般に動画データ及び音声データは比較的データ容量が大きくなることが知られている。従って、前記従来技術でも、複数枚のメモリカードを並行して表示・音声再生装置に装着する技術が開示されている。一方、この従来技術では、マルチデータは静止画、動画、音声そのもののファイル形式でメモリカードに保存される。この場合、必要なメモリカード枚数が増大してしまうという問題点がある。
【０００７】
一方、これに対し、マルチデータを圧縮してデータ容量を削減する技術は知られているが、上記従来技術のように、店頭での商品広告に用いられるマルチデータを圧縮する技術において、表示・音声再生装置で再生して顧客への訴求力を持つに十分な精細な画像や音声を得られ、しかも、可及的に圧縮率を向上できる手法は知られていない。
【０００８】
本発明は、上記課題に鑑みてなされたものであり、その目的は、動画、静止画及び音声の再生時に顧客への訴求力を持つに十分な精細さを有し、しかもデータの圧縮率を可及的に向上することができるマルチデータ再生システムを提供することである。
【０００９】
【課題を解決するための手段】
請求項１記載の発明のマルチデータ再生システムは、動画、静止画、音声等の複数種類のデータを結合した結合データを圧縮して圧縮結合データを生成する圧縮手段と、圧縮結合データを保存して移動せしめる携帯型データ保存手段と、携帯型データ保存手段に保存された圧縮結合データを読出して伸長処理し、前記結合データを復元する伸長手段と、伸長手段で復元された結合データに基づいて、前記動画、静止画、音声等を復元して、動画表示、音声出力等の再生動作を行う再生手段とを備えることを特徴としている。
【００１０】
請求項２記載の発明は、請求項１の発明において、動画、静止画、音声等の複数種類のデータのファイルに対して、前記圧縮手段において、静止画データファイルに対しては画像サイズ、動画データファイルに対しては、画像サイズ、圧縮コーディック、フレーム率、音声サンプリングレート、音声量子化ビット等の圧縮データ条件が調整可能に設けられている場合である。
【００１１】
請求項３記載の発明は、請求項１の発明において、動画、静止画、音声等の複数種類のデータのファイルに対して、前記圧縮手段には、再生手段における最適再生動作に対応した前記圧縮データ条件が予め定められている場合である。
【００１２】
【作  用】
請求項１記載の発明では、動画、静止画、音声の複数種類のデータに対して、圧縮手段により、結合、圧縮されて圧縮結合データが生成される。携帯型データ保存手段により、圧縮結合データが保存されて移動せしめられる。伸長手段は、携帯型データ保存手段に保存された圧縮結合データを読出して伸長処理し、前記結合データを復元する。再生手段は、伸長手段で復元された結合データに基づいて、動画、静止画、音声等を復元して、動画表示、音声出力等の再生動作を行う。
【００１３】
これにより、オンラインのデータ再生システムにおけるように、ライン配線等の複雑な作業が不要になる。また、動画、静止画及び音声の再生時に顧客への訴求力を持つに十分な精細さを有するようにでき、しかもデータの圧縮率を可及的に向上することができる。
【００１４】
請求項２記載の発明は、請求項１の発明において、動画、静止画、音声等の複数種類のデータのファイルに対して、前記圧縮手段において、静止画データファイルに対しては画像サイズ、動画データファイルに対しては、画像サイズ、圧縮コーディック、フレーム率、音声サンプリングレート、音声量子化ビット等の圧縮データ条件が調整可能に設けられている場合である。
【００１５】
従って、この圧縮条件を適宜選択することにより、動画、静止画及び音声の再生時に顧客への訴求力を持つに十分な精細さを有するようにでき、しかもデータの圧縮率を可及的に向上することができる。
【００１６】
請求項３記載の発明は、請求項１の発明において、動画、静止画、音声等の複数種類のデータのファイルに対して、前記圧縮手段には、再生手段における最適再生動作に対応した前記圧縮データ条件が予め定められている場合である。
【００１７】
これによっても、動画、静止画及び音声の再生時に顧客への訴求力を持つに十分な精細さを有するようにでき、しかもデータの圧縮率を可及的に向上することができる。
【００１８】
【発明の実施の形態】
以下、本発明の一実施形態について図１〜図１１に基づいて説明する。
【００１９】
［１］マルチデータの再生システム１の適用例
図１１に示すように、パソコン１００で作成した動画、静止画、音声の圧縮データをメモリカード８に記憶させる。
【００２０】
このメモリカード８の圧縮データを表示・音声再生装置２の一つである液晶テレビ１０２（一例として、シャープ株式会社製ＡＱＵＯＳシリーズ（登録商標））で再生する。この液晶テレビ１０２は、店頭等に設置されて、動画や静止画等を表示し、或いは音声を再生して、商品広告を行うものである。
［２］再生システム１の構成
以下、図１を参照して、再生システム１の構成について説明する。
【００２１】
再生システム１は、表示・音声再生装置２で再生される各種静止画データの静止画ファイル（データ形式：ＢＭＰ・ＪＰＧ・ＧＩＦ）３、音声データの音声ファイル（データ形式：ナレーション（人間声）・ＷＡＶ・ＭＰ３・ＧＩＦ・ＷＭＡ・ＪＰＧ）４及び動画データの動画ファイル（データ形式：ＭＰＧ・ＷＭＶ・ＡＶＩ）５を準備する。これらの各ファイル３〜５が、圧縮手段であるアクションＰＯＰ作成ツール６で後述するように結合、圧縮され、圧縮動画データの圧縮動画ファイル７に変換される。なお、アクションＰＯＰは商標である。
【００２２】
圧縮動画ファイル７は、例としてメモリカード８のような携帯型データ保存手段に保存、記憶され移動される。
【００２３】
メモリカード８を表示・音声再生装置２に装着して、保存されている圧縮動画ファイル７が読み出され伸長処理が行われて、動画、静止画の表示、音声の再生が行われる。
【００２４】
［３］アクションＰＯＰ作成ツール６の圧縮処理の構成
次に、アクションＰＯＰ作成ツール６における圧縮処理を行う構成について説明する。
【００２５】
アクションＰＯＰ作成ツール６において、前記データ形式の静止画ファイル３、既存の素材ファイル９、静止画データでのＰＯＰ編集済みファイル１０が、静止画編集処理部１１で編集処理される。
【００２６】
編集済みの静止画データは、ＰＯＰ編集済みファイル１２として出力される。このＰＯＰ編集済みファイル１２は、印刷部１３で印刷される場合もある。
【００２７】
ここで、編集前の前記各ファイルの仕様は、以下のように定められている。
【００２８】
2004297220.tif 000003
2004297220.tif 000004
【００２９】
［４］アクションＰＯＰ作成ツール６における動画結合処理
次に、図３を参照して、アクションＰＯＰ作成ツール６における動画結合処理を行う構成について説明する。
【００３０】
アクションＰＯＰ作成ツール６において、ＰＯＰ動画ファイル５は、後述する処理を行う動画結合処理部１４で結合処理が施され、圧縮動画ファイル（データ形式：ＡＳＦ）７として出力される。
【００３１】
［５］圧縮変換処理を行う構成
次に、図４を参照して、圧縮変換処理を行う構成について説明する。
【００３２】
静止画ファイル３、ＢＭＰ形式でのＰＯＰ編集済みファイル１２、音声ファイル４は、圧縮変換処理部１５で圧縮変換処理され、圧縮動画ファイル（データ形式：ＡＳＦ）７として出力される。
【００３３】
次に、図５を参照して、前記圧縮変換処理部１５における圧縮変換処理の概要について説明する。
【００３４】
本発明者は、この圧縮変換処理を行うに際して、画像サイズ６４０×４８０ピクセルの表示部を有する表示・音声再生装置２である液晶テレビ１０２で、動画、静止画、音声の各データを前記圧縮動画ファイル（データ形式：ＡＳＦ）７に伸長処理を施して表示、再生する場合、画像や音声が、顧客への訴求力の点で十分に精細であり、しかも圧縮率を可及的に向上できる圧縮データ条件を検討し、最適な圧縮データ条件を求めた。
【００３５】
2004297220.tif 000005
アクションＰＯＰ作成ツール６のファイル変換／結合部１６によって、前記ファイルの仕様や上記最適データ条件を考慮した上で、変換に必要な情報をＸＸＸＸ．ｘｔｌ（ＸＸＸＸはファイル名）として作成する。
【００３６】
また、予め定められたフォルダに動画ファイル５、静止画ファイル３、音声ファイル４を用意しておく。
【００３７】
さらに、画像圧縮コーデックを、ＩＳＯ  ＭＰＥＧ−４  Ｖｉｄｅｏ  Ｖ１にする為に、ＩＳＯ．ｐｒｘを用意しておく。
【００３８】
ファイル変換モジュール１７で、前記ＸＸＸＸ．ｘｔｌをパラメータとしてファイル変換処理を実行すると、圧縮動画ファイル（ＡＳＦ）７が作成される。
【００３９】
［６］変換処理の内容
以下、図６〜図１０を参照して、各処理を説明する。
【００４０】
ここで、上記変換処理には、大別して下記の３通りの処理が可能である。
【００４１】
（１）  静止画ファイル（ＢＭＰ・ＪＰＧ・ＧＩＦ・ＰＭＧ）と音声ファイル（ナレーション（人間声）×［ＷＡＶ］・ＭＰ３・ＷＭＡ・ＣＤＡ）を圧縮結合して圧縮動画ファイル（ＡＳＦ）を作成する。
【００４２】
（２）  動画ファイル（ＭＰＧ・ＷＭＶ・ＡＶＩ・ＭＯＶ）と静止画ファイル（ＢＭＰ・ＪＰＧ・ＧＩＦ・ＰＮＧ）と音声ファイル（ナレーション（人間声）×［ＷＡＶ］・ＭＰ３・ＷＭＡ・ＣＤＡ）を圧縮結合して圧縮動画ファイル（ＡＳＦ）を作成する。
【００４３】
（３）  動画ファイル（ＭＰＧ・ＷＭＶ・ＡＶＩ・ＭＯＶ）のみを圧縮結合して動画ファイル（ＡＳＦ）を作成する。
【００４４】
［７］ファイル圧縮処理について、図６のフローチャートに基づいて説明する。
【００４５】
ステップａ１において、モジュールの引数を読み取る。
【００４６】
ステップａ２において、出力ファイルを初期化する。
【００４７】
ステップａ３において、ＩＳＯプロファイルの読み込みと圧縮コーディックを設定する。この設定は、上記で説明した最適な圧縮データ条件で設定する。
【００４８】
ステップａ４において、圧縮ファイルであるＷＭＶファイルを作成する。この圧縮ファイル作成処理の詳細は、図７のフローチャートに示されている。後から詳しく説明する。
【００４９】
ステップａ５において、圧縮ファイルの処理を終了する。
【００５０】
ステップａ６において、ＷＭＶファイルからＡＳＦファイルを作成する。
【００５１】
［８］次に、図６のステップａ４における圧縮ファイルの作成処理を図７に基づいて説明する。
【００５２】
ステップｂ１において、ＷＭＶファイルを初期化する。
【００５３】
ステップｂ２において、初期化したＷＭＶファイルを開く。
【００５４】
ステップｂ３において、ＷＭＶファイルのタイムラインのブロック処理を行う。このタイムライン処理の詳細は、図８のフローチャートに示されている。後から説明する。
【００５５】
ステップｂ４において、ＷＭＶファイルを閉じる。
【００５６】
ステップｂ５において、ＷＭＶファイルの処理を終了する。
【００５７】
［９］次に、図７のステップｂ３におけるタイムラインのブロック処理を図８に基づいて説明する。
【００５８】
ステップｃ１において、ＸＴＬファイルを開く。
【００５９】
ステップｃ２において、ｇｒｏｕｐ  ｖｉｄｅｏ  のブロック処理を行う。このｇｒｏｕｐ  ｖｉｄｅｏ  のブロック処理の詳細は、図９のフローチャートに示されている。後から説明する。
【００６０】
ステップｃ３において、ｇｒｏｕｐ  ａｕｄｉｏ  のブロック処理を行う。このｇｒｏｕｐ  ａｕｄｉｏ  のブロック処理の詳細は、図１０のフローチャートに示されている。後から説明する。
【００６１】
ステップｃ４において、ＷＭＶファイルを閉じる。
【００６２】
［１０］図８のステップｃ２のｇｒｏｕｐ  ｖｉｄｅｏ  のブロック処理を図９のフローチャートに基づいて説明する。
【００６３】
ステップｄ１において、ｇｒｏｕｐ  を読み込み、ステップｄ２に進む。読み込まない時は終了する。
【００６４】
ステップｄ２において、フレームレート画像の幅と高さを前記最適条件の大きさに設定して、ステップｄ３に進む。
【００６５】
ステップｄ３において、ｔｒａｃｋ  を読み込み、ステップｄ４に進む。読み込まない時は終了する。
【００６６】
ステップｄ４において、ｃｌｉｐしたデータがフェードイン処理のデータであればステップｄ５に進み、そうでなければステップｄ６に進む。
【００６７】
ステップｄ５において、ｃｌｉｐしたデータをフェードイン処理して、ステップｄ６に進む。
【００６８】
ステップｄ６において、ｃｌｉｐしたデータが動画データであればステップｄ７に進み、静止がデータであればステップｄ８に進む。
【００６９】
ステップｄ７において、動画データを処理して、ステップｄ９に進む。
【００７０】
ステップｄ８において、静止画データを処理して、ステップｄ９に進む。
【００７１】
ステップｄ９において、データをｔｒａｎｓｉｔｉｏｎ処理して、ステップｄ１０に進む。
【００７２】
ステップｄ１０において、ｃｌｉｐしたデータがフェードアウト処理のデータであればステップｄ１１に進み、そうでなければステップｄ１２に進む。
【００７３】
ステップｄ１１において、ｃｌｉｐしたデータをフェードアウト処理して、ステップｄ１２に進む。
【００７４】
ステップｄ１２において、ｔｒａｃｋ  を読み込むのであればステップｄ３に戻り、読み込まない時は終了する。
【００７５】
［１１］図８のステップｃ２のｇｒｏｕｐ  ａｕｄｉｏ  のブロック処理を図１０のフローチャートに基づいて説明する。
【００７６】
ステップｅ１において、ｇｒｏｕｐ  を読み込み、ステップｅ２に進む。読み込まない時は終了する。
【００７７】
ステップｅ２において、サンプリングレートを前記最適条件に設定して、ステップｅ３に進む。
【００７８】
ステップｅ３において、ｔｒａｃｋ  を読み込み、ステップｅ４に進む。読み込まない時は終了する。
【００７９】
ステップｅ４において、ｃｌｉｐしたデータが動画データであればステップｅ５に進み、音声データであればステップｅ６に進む。
【００８０】
ステップｅ５において、ｃｌｉｐしたデータを動画データ処理して、ステップｅ７に進む。
【００８１】
ステップｅ６において、ｃｌｉｐしたデータを音声データ処理して、ステップｅ７に進む。
【００８２】
ステップｅ７において、データをｔｒａｎｓｉｔｉｏｎ処理して、ステップｅ８に進む。
【００８３】
ステップｅ８において、ｔｒａｃｋ  を読み込むのであればステップｅ１に戻り、読み込まない時は終了する。
【００８４】
［１２］上記で使用したｇｒｏｕｐ  、ｔｒａｃｋ  、ｃｌｉｐ、ｔｒａｎｓｉｔｉｏｎはＸＴＬファイルに使用されるフォーマットの用語であり、その概要は図１１のようになっている。
【００８５】
［１３］実施形態の効果
このような処理により、マルチデータ再生システム１で、動画、静止画、音声等の複数種類のデータのファイルに対して、静止画データファイルに対しては画像サイズ、動画データファイルに対しては、画像サイズ、圧縮コーディック、フレーム率、音声サンプリングレート、音声量子化ビット等の圧縮データ条件を、適切に設定して、動画、静止画及び音声の再生時に顧客への訴求力を持つに十分な精細さを有するようにでき、しかもデータの圧縮率を可及的に向上することができる。
【００８６】
本発明は、上記実施形態に限定されるものではなく、本発明の精神を逸脱しない範囲で広範な変形例を含むものである。
【００８７】
【発明の効果】
請求項１記載の発明によれば、オンラインのデータ再生システムにおけるように、ライン配線等の複雑な作業が不要になる。また、動画、静止画及び音声の再生時に顧客への訴求力を持つに十分な精細さを有するようにでき、しかもデータの圧縮率を可及的に向上することができる。
【００８８】
請求項２記載の発明は、圧縮条件を適宜選択することにより、動画、静止画及び音声の再生時に顧客への訴求力を持つに十分な精細さを有するようにでき、しかもデータの圧縮率を可及的に向上することができる。
【００８９】
請求項３記載の発明は、動画、静止画及び音声の再生時に顧客への訴求力を持つに十分な精細さを有するようにでき、しかもデータの圧縮率を可及的に向上することができる。
【図面の簡単な説明】
【図１】本発明の一実施形態の再生システムの構成を示すブロック図である。
【図２】圧縮処理を行う構成を示すブロック図である。
【図３】圧縮処理中の動画結合処理を示すブロック図である。
【図４】圧縮処理中の静止画変換処理を示すブロック図である。
【図５】ファイル変換処理を示すブロック図である。
【図６】本実施形態のデータ圧縮処理の全体を示すフローチャートである。
【図７】圧縮処理の処理例を示すフローチャートである。
【図８】圧縮処理中のタイムラインブロック処理を示すフローチャートである。
【図９】タイムラインブロック処理中のｇｒｏｕｐ  ｖｉｄｅｏ  ブロック処理を示すフローチャートである。
【図１０】タイムラインブロック処理中のｇｒｏｕｐ  ａｕｄｉｏ  ブロック処理を示すフローチャートである。
【図１１】ＸＴＬファイルに使用されるフォーマットの概要の図である。
【図１２】マルチデータの再生システムの適用例を示す概略図である。
【符号の説明】
１  再生システム
２  表示・音声再生装置
３  静止画ファイル
４  音声ファイル
５  動画ファイル
６  アクションＰＯＰ作成ツール
７  圧縮動画ファイル
８  メモリカード
１０  ＰＯＰ編集済みファイル
１１  静止画編集処理部
１２  ＰＯＰ編集済みファイル
１４  動画結合処理部
１５  静止画変換処理部
１６  ファイル変換／結合部
【図１】
2004297220.tif 000006
【図２】
2004297220.tif 000007
【図３】
2004297220.tif 000008
【図４】
2004297220.tif 000009
【図５】
2004297220.tif 000010
【図６】
2004297220.tif 000011
【図７】
2004297220.tif 000012
【図８】
2004297220.tif 000013
【図９】
2004297220.tif 000014
【図１０】
2004297220.tif 000015
【図１１】
2004297220.tif 000016
【図１２】
2004297220.tif 000017